(57)【特許請求の範囲】
【請求項１】
警戒エリアの警備状態を警戒状態から解除状態へ、あるいは解除状態から警戒状態へ設定する警備状態設定装置と、
センサが接続されると共に、警備状態設定装置とネットワークを介して通信を行い、センサからの信号と警備状態設定装置から通知される警戒状態とに基づいて所定の警備の処理を行う警備装置と
を備える警備システムに用いる警備状態設定装置であって、
前記警備状態設定装置はアドレスを有し、
制御装置と、
当該警備状態設定装置において対応する警戒エリアの警備状態を警戒状態から解除状態へ、あるいは解除状態から警戒状態へ設定するために用いるＩＤ番号を許可ＩＤ番号として書き込むための揮発性メモリと
を備え、
前記制御装置は、電源が投入された場合には警備装置に対して自己のアドレスを付して許可ＩＤ番号のダウンロードを要求し、警備装置から許可ＩＤ番号がダウンロードされると、それを前記揮発性メモリに書き込む処理を行う
ことを特徴とする警備状態設定装置。
【発明の詳細な説明】
【０００１】
【発明の属する技術分野】
本発明は、警備システムに用いる警備状態設定装置に関する。
【０００２】
【従来の技術】
警備システムの一構成例を図３に示す。図３において、１は警備装置、２は警備状態設定装置、ＬはＬＡＮ等のネットワークを示す。
警備システムが構築されている箇所には警戒を行う単位である警戒エリアが定められている。そして、各警戒エリアには、警備状態設定装置２と、少なくとも一つのセンサが設置されており、各警備状態設定装置２と、各センサは、図３に示すように警備装置１に接続されている。警備状態設定装置２は、警戒エリアの警備状態を警戒状態から解除状態へ、あるいはその逆に設定するものである。図３では２1 〜２n のｎ台の警備状態設定装置がネットワークＬによって警備装置１に接続されているが、１台毎に独立して警備装置１に接続されていてもよいものである。ここでは、警備装置１と各警備状態設定装置２1 〜２n とはネットワークＬを介して、所定の方式による通信を行うものとする。
【０００３】
各警戒エリア、各センサ、及び各警備状態設定装置２にはそれぞれに互いに異なるアドレスが付けられており、どのアドレスのセンサがどのアドレスの警戒エリアに設置されているかというセンサのアドレスと警戒エリアのアドレスの対応、及び、どのアドレスの警備状態設定装置がどのアドレスの警戒エリアに設置されているかという警備状態設定装置のアドレスと警戒エリアのアドレスの対応は予め警備装置１に登録されている。なお、警備状態設定装置２のアドレス、及びセンサのアドレスは、ディップスイッチによって設定されたり、アドレスを書き込んだＲＯＭを搭載することによって行われるのが通常である。
【０００４】
そして、警備装置１は、各センサからの信号と、警備状態設定装置２1 〜２n から通知される警戒エリアの警戒状態とに基づいて、所定の警備の処理を行う。警備の処理には種々の処理があるが、その代表的なものは異常通報の処理である。即ち、警備装置１は、ある警戒エリアが警戒状態にあるとき、当該警戒エリアのアドレスに対応付けられているセンサから発報信号を受けた場合には、当該警戒エリアに異常が発生したと判断して、電話回線を介して警備会社の警備センタに設置されているセンタ装置に異常が発生したことを示すデータを送信する。これが異常通報の処理である。
【０００５】
ところで、警備状態設定装置２で警備状態を設定する方法としては従来種々の方法が知られているが、近年では、ＩＣカードや光カード等のカードを用いる方法が採用されることが多くなってきている。そのようなカードを用いて警備状態を設定する警備状態設定装置の一構成例を図４に示す。図４は、カードをカードリーダに挿入するだけで警備状態を警戒状態から解除状態へ、あるいはその逆に設定できる警備状態設定装置の構成例を示しており、図中、５は制御装置、６はカードリーダ、７はメモリ、８は通信制御部を示す。通信制御部８はネットワークＬを介して警備装置１と通信を行うためのものである。また、メモリ７には、当該警備状態設定装置２で許可されているＩＤ番号（以下、許可ＩＤ番号という）が記憶されている。
【０００６】
さて、カードリーダ６はカードが挿入されると当該カードに書き込まれているＩＤ番号を読み取り、読み取ったＩＤ番号を制御装置５に渡す。制御装置５は、カードリーダ６からＩＤ番号を受けると、メモリ７に記憶されているＩＤ番号を検索して、カードリーダ６から受けたＩＤ番号がメモリ７に記憶されているか否かを判断する。そして、カードリーダ６から受けたＩＤ番号がメモリ７に記憶されている場合には許可ＩＤ番号であるとして警備状態を反転させ、その結果の警備状態を、通信制御部８により警備装置１に通知する。従って、警戒状態にあるときにカードリーダ６にカードが挿入され、そのＩＤ番号が許可ＩＤ番号である場合には、制御装置５は警備状態を警戒状態から解除状態に設定して、解除状態に設定したことを警備装置１に通知する。また、解除状態にあるときにカードリーダ６にカードが挿入され、そのＩＤ番号が許可ＩＤ番号である場合には、制御装置５は警備状態を解除状態から警戒状態に設定して、警戒状態に設定したことを警備装置１に通知する。
【０００７】
しかし、カードリーダ６から受けたＩＤ番号がメモリ７に記憶されていない場合には、制御装置５は当該ＩＤ番号は許可ＩＤ番号ではないとして、無視し、これまでの警備状態を維持する。
【０００８】
【発明が解決しようとする課題】
しかしながら、従来、警備状態設定装置２のメモリ７としては、電源がオフされても記憶内容を保持する不揮発性メモリが用いられているので、次のような問題があった。
【０００９】
警備システムが構築される箇所には警戒エリアが定められることは上述したとおりであるが、何等かの都合により、警戒エリアが分割されたりして警戒エリアの数が増えることがある。このように警戒エリア数が増えた場合には、新たに警備状態設定装置を増設することになるが、そのときに増設する警備状態設定装置の１台１台には、不揮発性メモリに許可ＩＤ番号を書き込んで警備状態設定装置に搭載する必要があり、面倒であるという問題がある。この問題は、増設する警備状態設定装置の台数が多いほど顕著なものとなる。
【００１０】
また、例えば、テナントビルの場合を考えると、テナントの退去や新規入居ということがあるが、テナントが退去した場合には当該テナントに対応する警備状態設定装置２のメモリ７から、当該テナントに与えていたＩＤ番号を削除し、新規入居のテナントには新たなＩＤ番号を与えて、そのＩＤ番号を当該テナントに対応する警備状態設定装置２のメモリ７に許可ＩＤ番号として書き込むのが通常である。このように、メモリ７から許可ＩＤ番号を削除したり、あるいはメモリ７に新たな許可ＩＤ番号を書き込む必要がある場合があるのであるが、この場合にも人手を要し、しかも面倒な作業となっていた。
【００１１】
そこで、本発明は、警備状態設定装置のメモリへのＩＤ番号の登録を自動的に行うことができる警備状態設定装置を提供することを目的とするものである。
【００１２】
【課題を解決するための手段】
上記の目的を達成するために、本発明に係る警備状態設定装置は、警戒エリアの警備状態を警戒状態から解除状態へ、あるいは解除状態から警戒状態へ設定する警備状態設定装置と、センサが接続されると共に、警備状態設定装置とネットワークを介して通信を行い、センサからの信号と警備状態設定装置から通知される警戒状態とに基づいて所定の警備の処理を行う警備装置とを備える警備システムに用いる警備状態設定装置であって、前記警備状態設定装置はアドレスを有し、制御装置と、当該警備状態設定装置において対応する警戒エリアの警備状態を警戒状態から解除状態へ、あるいは解除状態から警戒状態へ設定するために用いるＩＤ番号を許可ＩＤ番号として書き込むための揮発性メモリとを備え、前記制御装置は、電源が投入された場合には警備装置に対して自己のアドレスを付して許可ＩＤ番号のダウンロードを要求し、警備装置から許可ＩＤ番号がダウンロードされると、それを前記揮発性メモリに書き込む処理を行うことを特徴とする。
【００１３】
【発明の実施の形態】
以下、図面を参照しつつ発明の実施の形態について説明する。
図１は本発明に係る警備状態設定装置を用いた警備システムの一実施形態を示す図であり、図中、９はメモリ、１０は制御装置、１１は通信制御部、１２は操作部、１３は許可ＩＤ番号データベース（以下、単にＤＢと記す）、１４は回線制御部を示す。図１において、図３、図４と同等な構成要素については同一の符号を付している。なお、ここでも、警備装置１と各警備状態設定装置２1 〜２n とはネットワークＬを介して通信を行うものとする。また、警備状態設定装置２における警備状態の設定方式は、カードをカードリーダに挿入するだけで警備状態を警戒状態から解除状態へ、あるいはその逆に設定できる方式であるとする。
【００１４】
まず、警備装置１について概略説明する。
警備装置１は、制御装置１０、通信制御部１１、操作部１２、ＤＢ１３、回線制御部１４を備えている。なお、上述したように警備装置１にはセンサからの信号が入力されるが、図１では図示を省略している。
【００１５】
制御装置１０は、当該警備装置１の動作を統括して管理するものであり、所定の警備の処理を実行すると共に、後述する動作を行う。
通信制御部１１は、ネットワークＬを介して警備状態設定装置２と通信を行うためのものである。
操作部１２は、制御装置１０の動作モードの切り換え、許可ＩＤ番号テーブルの設定登録等を行うためのものであり、テンキーや、「＊」、「＃」等の記号キーを備えている。
【００１６】
ＤＢ１３は、各警備状態設定装置２でどのようなＩＤ番号を許可するかを定める、警備状態設定装置２のアドレスと、その警備状態設定装置２での許可ＩＤ番号の対応を規定する許可ＩＤ番号テーブルが登録されたものである。
このＤＢ１３に登録する許可ＩＤ番号テーブルの構造は適宜定めることができるが、例えば、図２（ａ）、（ｂ）に示す構造とすることができる。
図２（ａ）は、警備状態設定装置２のアドレスと、ＩＤ番号とがマトリクス状に配置された構造を示しており、各警備状態設定装置２では丸印が付されたＩＤ番号のみが許可されるようになされている。即ち、図２（ａ）では、アドレスが１の警備状態設定装置は、「１１１１」というＩＤ番号が許可ＩＤ番号となり、アドレスが２の警備状態設定装置は「２２２２」というＩＤ番号が許可ＩＤ番号となる。その他についても同様である。
図２（ｂ）は、警備状態設定装置のアドレスのそれぞれに対して許可ＩＤ番号が登録された構造を示している。
【００１７】
回線制御部１４は、電話回線を介して警備会社のセンタ装置に通報を行うためのものであり、電話回線がアナログ回線の場合はモデムで構成され、デジタル回線の場合にはターミナルアダプタとＤＳＵ（デジタルサービスユニット）で構成される。
【００１８】
さて、警備装置１の制御装置１０には、動作モードとして、設定モードと、警備モードの２つのモードが設けられている。警備モードは所定の警備の処理を行うモードであり、警備モード時には制御装置１０は、例えば上述したような異常通報の処理等を行う。設定モードは、ＤＢ１３に許可ＩＤ番号テーブルを設定登録するためのモードである。
【００１９】
この設定モードと警備モードとの切り換え、及び、設定モード時にＤＢ１３の許可ＩＤ番号テーブルを変更して新たな許可ＩＤ番号テーブルを登録する場合に用いるのが操作部１２なのであるが、制御装置１０は、操作部１２によって設定モードから警備モードに切り換えられた場合には、警備状態設定装置２に対してＤＢ１３に登録された許可ＩＤ番号テーブルをダウンロードする。ダウンロードに際しては、許可ＩＤ番号テーブルをそのままダウンロードすればよい。例えば、許可ＩＤ番号テーブルの構造が図２（ａ）に示すようであっても、図２（ｂ）に示すようであっても、警備状態設定装置２の制御装置５は、自己の警備状態設定装置に付けられたアドレスを認識しているから、許可ＩＤ番号テーブルを参照することによって、自己の警備状態設定装置に対応した許可ＩＤ番号を認識することができる。しかし、各々の警備状態設定装置２に対して、それぞれに対応して登録されている許可ＩＤ番号のみをダウンロードしてもよいことは当然である。ここではＤＢ１３に登録されている許可ＩＤ番号テーブルそのものをダウンロードするものとする。
【００２０】
また、警備装置１の制御装置１０は、警備状態設定装置２から許可ＩＤ番号テーブルのダウンロード要求があった場合には、ＤＢ１３から許可ＩＤ番号テーブルを読み出して、ダウンロード要求を行った警備状態設定装置２に対して、許可ＩＤ番号テーブルをダウンロードする。
【００２１】
次に、警備状態設定装置２について概略説明する。各警備状態設定装置２には、従来と同様に、それぞれ固有のアドレスが付けられている。
【００２２】
警備状態設定装置２のメモリ９は許可ＩＤ番号が記憶されるものであるが、従来とは異なって、随時書込読み出しが可能な揮発性メモリで構成されている。揮発性メモリとは、電源がオフされた場合には記憶内容が消去されてしまうタイプのメモリである。
【００２３】
また、警備状態設定装置２の電源は、図示しない電源装置から供給されるか、あるいはネットワークＬのラインを介して警備装置１から供給される。なお、通信線に電源電圧と信号とを重畳することは周知である。
【００２４】
更に、制御装置５は、電源がオンされると所定の立ち上げ処理を実行し、立ち上げ処理が完了すると、警備装置１に対して許可ＩＤ番号テーブルのダウンロードを要求する。即ち、このとき、制御装置５はダウンロードを要求するコマンドに自己のアドレスを付けて送信データを作成して通信制御部８に渡す。これにより通信制御部８は当該送信データを警備装置１に送信する。
【００２５】
また更に、警備装置１から許可ＩＤ番号テーブルがダウンロードされると、警備状態設定装置２の通信制御部８はそれを受信して制御装置５に渡す。そして、制御装置５は、通信制御部８から許可ＩＤ番号テーブルを受けると、それをメモリ９に書き込む処理を行う。
【００２６】
以上のようであるので、この警備システムでは次のような動作が行われることになる。
【００２７】
警戒エリアの増減に伴う警備状態設定装置のアドレスの追加や削除、あるいは各警備状態設定装置における許可ＩＤ番号の追加や削除を行う場合には、作業者は、警備装置１の操作部１２を操作して、制御装置１０の動作モードを警備モードから設定モードに変更し、新たな許可ＩＤ番号テーブルを設定して登録する。これによって、制御装置１０は新たに設定された許可ＩＤ番号テーブルをＤＢ１３に書き込み、登録する。
【００２８】
このようにして新たな許可ＩＤ番号テーブルの登録が完了すると、作業者は操作部１２により動作モードを設定モードから警備モードに戻すが、動作モードが警備モードに戻されると、制御装置１０は、ＤＢ１３から許可ＩＤ番号テーブルを読み出し、これを全ての警備状態設定装置２に対して送信する。そして、各警備状態設定装置２の制御装置５は、これを受信すると、受信した許可ＩＤ番号テーブルをメモリ９に書き込む。これによって許可ＩＤ番号テーブルのダウンロードが行われる。
【００２９】
また、警備状態設定装置２は、故障等によりメンテナンスが行われることがあり、このようなメンテナンス時には警備状態設定装置２はネットワークＬから外され、電源がオフされるのが通常である。そして、このときにはメモリ９の内容は消去されてしまう。その後、メンテナンスが終了すると、再びネットワークＬに接続され、電源が投入されることになるが、制御装置５は、電源が投入されると立ち上げ処理を行うが、この立ち上げ処理において、ディップスイッチの状態やＲＯＭのデータを読み込むことにより自己に割り当てられたアドレスを認識する。そして立ち上げ処理の完了後、上述したように、警備装置１に対して許可ＩＤ番号テーブルのダウンロードを要求する。警備装置１の制御装置１０は、このダウンロード要求を受信すると、ＤＢ１３から許可ＩＤ番号テーブルを読み出して、当該ダウンロード要求を行った警備状態設定装置２のアドレス宛てに許可ＩＤ番号テーブルのデータを送信する。そして、当該警備状態設定装置２の制御装置５は、警備装置１から送信された許可ＩＤ番号テーブルを受信すると、この受信した許可ＩＤ番号テーブルをメモリ９に書き込む。これによって許可ＩＤ番号テーブルのダウンロードが行われる。
この動作は、新規な警備状態設定装置がネットワークＬに接続された場合にも同様である。
【００３０】
以上のようであるので、この警備装置１及び警備状態設定装置２を用いて警備システムを構築した場合、各警備状態設定装置２のメモリ９には自動的に許可ＩＤ番号が書き込まれるので、従来のような人手の作業を行わなければならないという面倒さを解消することができる。
また、許可ＩＤ番号の削除、あるいは追加という変更を行うについては、警備装置１のＤＢ１３のデータを変更すればよいので、面倒さ、あるいは煩わしさを従来に比較して大幅に軽減できる。
更に、警備状態設定装置２のメモリ９は揮発性メモリであり、電源がオフされると記憶内容が消去されてしまうので、安全性の確保という意味で有効である。
【００３１】
以上、本発明の一実施形態について説明したが、本発明は上記実施形態に限定されるものではなく、種々の変形が可能である。例えば、上記実施形態では、警備状態設定装置２はカードを用いるものとしたが、テンキーでＩＤ番号を入力し、その入力されたＩＤ番号と、メモリ９に登録された許可ＩＤ番号とを比較して、一致した場合に警備状態を警戒状態から解除状態へ、あるいはその逆に切り換える方式のものであってもよい。要するに、本発明の警備状態設定装置は、許可ＩＤ番号を登録するメモリを有する警備状態設定装置に一般的に適用することができるものである。
【図面の簡単な説明】
【図１】本発明に係る警備状態設定装置を用いた警備システムの一実施形態を示す図である。
【図２】許可ＩＤ番号データベース１３に登録する許可ＩＤ番号テーブルの構造例を示す図である。
【図３】警備システムの一構成例を示す図である。
【図４】カードを用いて警備状態を設定する警備状態設定装置の従来の一構成例を示す図である。
【符号の説明】
１…警備装置、２…警備状態設定装置、５…制御装置、６…カードリーダ、７…メモリ（不揮発性メモリ）、８…通信制御部、９…メモリ（揮発性メモリ）、１０…制御装置、１１…通信制御部、１２…操作部、１３…許可ＩＤ番号データベース（ＤＢ）、１４…回線制御部、Ｌ…ＬＡＮ等のネットワーク。
【図１】
0004798643.tif 000002
【図２】
0004798643.tif 000003
【図３】
0004798643.tif 000004
【図４】
0004798643.tif 000005